【手続補正書】
【提出日】平成16年8月20日(2004.8.20)
【手続補正１】
【補正対象書類名】明細書
【補正対象項目名】００１９
【補正方法】変更
【補正の内容】
【００１９】
次に、傾斜勾配を設定する方法を説明する。
レーザー光ＬＢの光束直径をｄ〔ｍｍ〕、受光部１１２の幅をｗ〔ｍｍ〕、レーザー装置１０２から照射されるレーザー光ＬＢの回転数をＲＬＢ〔ｒｐｍ〕、レーザー装置１０２から施工高さ表示装置１０４までの距離ＬＲＳ〔ｍｍ〕とすると、レーザー光ＬＢの光束が受光部１１２を横切る時間Ｓｒ〔秒〕は、
Ｓｒ  ＝  （ｄ＋ｗ）／（２π×ＬＲＳ×ＲＬＢ／６０）・・・（式１）
従って、
ＬＲＳ  ＝  （ｄ＋ｗ）／（２π×ＲＬＢ×Ｓｒ／６０）・・・（式２）
である。
再び図４を参照すると、距離計算式記憶回路２１４は、この距離計算式（式２）を記憶している。
【手続補正２】
【補正対象書類名】明細書
【補正対象項目名】００２０
【補正方法】変更
【補正の内容】
【００２０】
ここで、レーザー光ＬＢの光束直径のｄ〔ｍｍ〕、受光部１１２の幅のｗ〔ｍｍ〕、レーザー装置１０２から照射されるレーザー光ＬＢの回転数のＲＬＢ〔ｒｐｍ〕は、施工高さ表示装置１０４の距離計算式記憶回路２１４があらかじめ記憶しておいてもよいし、表示モード切り換えスイッチ１６０、第１入力スイッチ１６２及び第２入力スイッチ１６４を用いて使用者が入力し、この入力した値を距離計算式記憶回路２１４が記憶していてもよい。
距離演算回路２１６は、レーザー光検出回路２１２が出力する信号を入力し、距離計算式記憶回路２１４が記憶している距離計算式（式２）を用いてレーザー装置１０２から施工高さ表示装置１０４までの距離ＬＲＳを演算する。
施工したい勾配をＳＬＡ〔％〕とすると、施工高さＨＩＧ〔ｍｍ〕は、
ＨＩＧ  ＝  ＳＬＡ×ＬＲＳ／１００              ・・・（式３）
で求められる。
【手続補正３】
【補正対象書類名】明細書
【補正対象項目名】００２４
【補正方法】変更
【補正の内容】
【００２４】
（２）第２の実施の形態
本発明の第２の実施の形態の施工高さ表示装置２７０においては、図１２に示すように、切り欠き１４０を有するカーソル２７２と、カーソル２７２の位置を検出するカーソル位置検出回路２７４とを備える。カーソル２７２は施工高さ設定装置２７０の本体に対して摺動可能に設けられている。カーソル位置比較回路２７６が、カーソル位置検出回路２７４の出力する信号と、高さ演算回路２２４の出力する信号とを比較して、カーソル２７２の摺動した位置が施工高さと一致するか、或いは、予め設定した許容誤差の範囲内に入ったときに、警告ブザー１５６を駆動させる信号を出力する。警告ブザー１５６はカーソル位置比較回路２７６の出力するブザー駆動信号に基づいて作動して、使用者にカーソル２７２の位置が適性であることを知らせる。
図１３を参照すると、施工したい勾配がＳＬＡである場合には、施工高さ表示装置２７０はレーザー装置１０２から施工高さ表示装置２７０までの距離ＬＲＳを計算し、その結果を用いて施工高さＨＩＧを演算する。例えば、施工高さ表示装置２７０の高さ表示部２２６は、施工高さ表示装置２７０がレーザー装置１０２から距離ＬＲＳ１にある位置で高さ表示２２６ａ1 を表示し、施工高さ表示装置２７０がレーザー装置１０２から距離ＬＲＳ２にある位置で、高さ表示２２６ａ2 を表示する。また、施工したい勾配がＳＬＡである場合で、この値が負の値である場合には、施工高さ表示装置２７０がレーザー装置１０２から距離ＬＲＳ２にある位置で高さ表示２２６ａ3 を表示する。
使用者は施工高さ表示装置２７０のカーソル２７２を摺動させて、このカーソル２７２の位置を、高さ表示部２２６が指示している高さ表示２２６ａ1 、２２６ａ2 又は２２６ａ3 に合わせる。そして、カーソル２７２に設けられた切り欠き１４０を用いて建築物等に施工する。
【手続補正４】
【補正対象書類名】明細書
【補正対象項目名】００２５
【補正方法】変更
【補正の内容】
【００２５】
本発明の第２の実施の形態の施工高さ表示装置２７０の他の部分の構成は、本発明の第１の実施の形態の施工高さ設定装置１００と同様である。
本発明の施工高さ設定装置を用いることにより、図１４に示すように、レーザー装置１０２が照射するレーザー光をレーザー装置１０２の全周で受光して、レーザー装置１０２を中心として、円錐状の勾配ＳＬＡを設定することができる。
また、図１５に示すように、地球の球面誤差を補正するように、施工高さ設定装置に球面誤差の補正式を入力しておくこともできる。
地球の半径をＲＧＬＶとし、施工高さ表示装置２７０とレーザー装置１０２との間の距離をＬＲＳ１５とし、施工高さ表示装置２７０とレーザー装置１０２が地球の中心に対する角度をＳＧＬＶとし、施工高さ表示装置２７０がレーザー装置１０２から距離ＬＲＳ１５にある位置での補正量をＨＩＧ１５とする。
【手続補正５】
【補正対象書類名】明細書
【補正対象項目名】００２７
【補正方法】変更
【補正の内容】
【００２７】
（３）第３の実施の形態
本発明の第３の実施の形態の施工高さ表示装置３０４は、図１６に示すように、レーザービームＬＢを検出する方向を垂直に配置した第１受光部３１２及び第２受光部３１４と、検出したレーザービームＬＢの基準位置に対するシフト位置を示す指標部１１８と、指標部１１８に対応して設けられた切り欠き１４０と、入力した勾配や施工高さを表示するデータ表示部３２６とを有する。指標部１１８及びデータ表示部３２６は、液晶パネルにより構成されている。
第１受光部３１２及び第２受光部３１４はＣＣＤ、ＰＳＤ等の位置センサにより構成されており、少なくとも一方の第１受光部３１２は、上下に２分割された受光部分３１２ａ及び３１２ｂからなる。回転レーザ装置からのレーザビームＬＢが第１受光部３１２の２分割された２つの受光部分３１２ａ及び３１２ｂの中間を走査するとき基準位置となり、指標部１１８の基準位置表示部分１２４が表示される。
レーザビームＬＢが第１受光部３１２の上部受光部分３１２ａを走査する場合には、本体を上方に移動し基準位置となるように、指標部１１８の上向き表示部分１２２が表示される。同様に、レーザビームＬＢが第１受光部３１２の下部受光部分３１２ｂを走査する場合には、本体を下方に移動し基準位置となるように、指標部１１８の下向き表示部分１２０が表示される。
【手続補正６】
【補正対象書類名】明細書
【補正対象項目名】００３１
【補正方法】変更
【補正の内容】
【００３１】
同様に、図２１を参照すると、レーザー光ＬＢが入射した第１受光部３１２の出力信号は、時間Ｔ21で出力を開始し、時間Ｔ22で出力の最大値をとり、出力時間Ｔ23で出力を終了する。レーザー光ＬＢが入射した第２受光部３１４の出力信号は、時間Ｔ24で出力を開始し、時間Ｔ25で出力の最大値をとり、出力時間Ｔ26で出力を終了する。この時間Ｔ22と時間Ｔ25との間の時間間隔Ｔ2 を計測する。
ここで、Ｔ1 がＴ2 より大きいのは、レーザー装置１０２から施工高さ表示装置３０４までの距離ＬＲＳが、図２０に示す状態の方が図２１に示す状態よりも近い場合を意味する。すなわち、レーザー装置１０２から施工高さ表示装置３０４までの距離ＬＲＳが近いほど、第１受光部３１２が出力する出力信号が最大値をとる時と、第２受光部３１４が出力する出力信号が最大値をとる時との間の時間間隔は短い。
【手続補正７】
【補正対象書類名】明細書
【補正対象項目名】００３３
【補正方法】変更
【補正の内容】
【００３３】
レーザー光ＬＢの光束が第１受光部３１２の中心から第２受光部３１４の中心までを横切る時間Ｓｄ〔秒〕は、
Ｓｄ＝（ＬＥＬＥ＋ｗ）／（２π×ＬＲＳ×ＲＬＢ／６０）・・・（式８）
従って、
ＬＲＳ＝（ＬＥＬＥ＋ｗ）／（２π×ＲＬＢ×Ｓｒ／６０）・・・（式９）
である。
再び図１７を参照すると、距離計算式記憶回路２１４は、この距離計算式（式９）を記憶している。
ここで、レーザー光ＬＢの光束直径のｄ〔ｍｍ〕、第１受光部３１２及び第２受光部３１４の幅のｗ〔ｍｍ〕、レーザー装置１０２から照射されるレーザー光ＬＢの回転数のＲＬＢ〔ｒｐｍ〕は、施工高さ表示装置３０４の距離計算式記憶回路２１４があらかじめ記憶しておいてもよいし、表示モード切り換えスイッチ１６０、第１入力スイッチ１６２及び第２入力スイッチ１６４を用いて使用者が入力し、この入力した値を距離計算式記憶回路２１４が記憶していてもよい。
【手続補正８】
【補正対象書類名】明細書
【補正対象項目名】００３４
【補正方法】変更
【補正の内容】
【００３４】
距離演算回路２１６は、２レーザー光検出回路３１８が出力する信号を入力し、距離計算式記憶回路２１４が記憶している距離計算式（式９）を用いてレーザー装置１０２から施工高さ表示装置３０４までの距離ＬＲＳを演算する。
高さ演算回路２２４は、勾配記憶回路２２０が記憶している勾配ＳＬＡと、距離演算回路２１６が出力する距離ＬＲＳを用いて、（式３）により施工高さＨＩＧを演算する。高さ表示部２２６は、高さ演算回路２２４の出力信号を入力して、施工高さＨＩＧの計算結果を表示する。
【手続補正９】
【補正対象書類名】明細書
【補正対象項目名】図面の簡単な説明
【補正方法】変更
【補正の内容】
【図面の簡単な説明】
【図１】
本発明の施工高さ表示装置の第１の実施の形態を示す斜視図である。
【図２】
本発明の施工高さ設定装置を示す説明図である。
【図３】
本発明の第１の実施の形態のレーザー装置の照射したレーザー光が受光部を照射している状態を示す説明図である。
【図４】
本発明の第１の実施の形態のレーザー装置及び施工高さ表示装置のブロック図である。
【図５】
本発明の第１の実施の形態の施工高さ表示装置の受光部を横切るレーザー光の光束を示す側面図である。
【図６】
本発明の第１の実施の形態の施工高さ表示装置の受光部の出力信号を示す図である。
【図７】
本発明の第１の実施の形態の施工高さ表示装置の受光部の出力信号を示す図である。
【図８】
本発明の第１の実施の形態の施工高さ表示装置の受光部の出力信号と、スタートエッジ及びストップエッジの関係を示す図である。
【図９】
本発明の第１の実施の形態の施工高さ表示装置のレーザー光検出回路の動作を示す図である。
【図１０】
レーザー装置から照射されるレーザー光が変調されている場合における、本発明の第１の実施の形態の施工高さ表示装置の受光部の出力信号を示す図である。
【図１１】
レーザー装置から照射されるレーザー光ＬＢが変調されている場合における、本発明の第１の実施の形態の施工高さ表示装置の整形されたパルス信号を示す図である。
【図１２】
本発明の第２の実施の形態の施工高さ表示装置のブロック図である。
【図１３】
本発明の第２の実施の形態の施工高さ表示装置が高さを表示している状態を示す説明図である。
【図１４】
本発明の第２の実施の形態の施工高さ表示装置を用いて円錐状の勾配を設定する場合を示す説明図である。
【図１５】
本発明の第２の実施の形態の施工高さ表示装置を用いて地球の球面誤差を補正する場合を示す説明図である。
【図１６】
本発明の施工高さ表示装置の第３の実施の形態を示す斜視図である。
【図１７】
本発明の第３の実施の形態の施工高さ表示装置のブロック図である。
【図１８】
本発明の第３の実施の形態のレーザー装置の照射したレーザー光が受光部を照射している状態を示す説明図である。
【図１９】
本発明の第３の実施の形態の施工高さ表示装置の受光部を横切るレーザー光の光束を示す側面図である。
【図２０】
本発明の第３の実施の形態の施工高さ表示装置の受光部の出力信号を示す図である。
【図２１】
本発明の第３の実施の形態の施工高さ表示装置の受光部の出力信号を示す図である。
【図２２】
本発明の施工高さ表示装置の構成を示すブロック図である。
【符号の説明】
１００  施工高さ設定装置
１０２  レーザー装置
１０４  施工高さ表示装置
１０８  データ表示部
１１２  受光部
１１８  指標部
１２０  下向き表示部分
１２２  上向き表示部分
１２４  基準位置表示部分
１３０  本体
１４０  切り欠き
１５０  電源スイッチ
１５２  検出精度調整ボタン
１５４  警告ブザーｏｎ／ｏｆｆボタン
１５６  警告ブザー
１６０  表示モード切り換えスイッチ
１６２  第１入力スイッチ
１６４  第２入力スイッチ
１７２  光源部
１７４  発光制御回路
１７６  投光光学系
１７８  光束回転部材
２１０  受光状態検出回路
２１２  レーザー光検出回路
２１４  距離計算式記憶回路
２１６  距離演算回路
２１８  勾配入力部材
２２０  勾配記憶回路
２２２  勾配表示部
２２４  高さ演算回路
２２６  高さ表示部
２３０  レーザー光傾き入力部材
２３２  レーザー光傾き記憶回路
２３４  レーザー光傾き表示部
２７０  施工高さ表示装置
２７２  カーソル
２７２  カーソル位置検出回路
２７４  カーソル位置検出回路
２７６  カーソル位置比較回路
３０４  施工高さ設定装置
３１２  第１受光部
３１４  第２受光部
３１６  受光状態検出回路
３１８  ２レーザー光検出回路
３６０、３６２、３６４  モード設定スイッチ
６０４  電源
６０６  源振
６０８、６０９  ＣＣＤ
６１０  ＲＯＭ
６２１〜６２６  スイッチ
６３０  ＲＡＭ
６５０  ＣＰＵ
６６０  ＬＣＤパネル